(57)【特許請求の範囲】
【請求項１】
ウレタン系樹脂とマレイン酸樹脂とからなる混合樹脂を含有する転写用接着剤であって、該混合樹脂中のマレイン酸樹脂の含有量が２５〜４０質量％であることを特徴とする転写用接着剤。
【請求項２】
ウレタン系樹脂がブロッキング防止剤を該ウレタン系樹脂に対して０．１〜５質量％含有する請求項１に記載の転写用接着剤。
【請求項３】
マレイン酸樹脂の軟化点が１２０〜１８５℃である請求項１又は２に記載の転写用接着剤。
【請求項４】
被転写体が、木質系材料及び／又はポリエステル系材料である請求項１〜３のいずれかに記載の転写用接着剤。
【請求項５】
基材に少なくとも剥離層、装飾層及び接着剤層を含む転写層を積層した転写箔であって、接着剤層が請求項１〜４のいずれかに記載の転写用接着剤である転写箔。
【請求項６】
被転写体が、木質系材料及び／又はポリエステル系材料である請求項５に記載の転写箔。
【発明の詳細な説明】
【技術分野】
【０００１】
本発明は転写用接着剤及びこれを用いた転写箔に関する。特に、木質系基材にもプラスチック基材にも転写層を接着し得る転写用接着剤及び該転写用接着剤を用いた転写箔に関する。
【背景技術】
【０００２】
従来、化粧板等の各種転写製品を、転写シートを用いて被転写基材に装飾層を含む転写層を転写して製造することが広く行われている。また、被転写基材への転写層の接着には熱融着型接着剤を用いることが多い（例えば特許文献１参照）。
そして、転写層で用いる接着剤については、転写する被転写体の種類に応じて適宜選択される。例えば、被転写体がポリエステル樹脂などの樹脂フィルムの場合には、ウレタン系樹脂を主成分とした接着剤が用いられ、ＭＤＦ（中密度圧縮合板）などの木質系材料には、ポリアミド系接着剤や塩化ビニル・酢酸ビニル共重合体などの接着剤が適当である。
【０００３】
しかしながら、例えばドア材などはＭＤＦボードなどの木質系材料で作られているが、そのエッジ部分にはＰＥＴ（ポリエチレンテレフタレート）などのポリエステルフィルムが貼付される場合がある。こうしたドア材などに転写箔を用いて装飾を施す場合には、木質系材料の部分とポリエステルフィルムの部分の両方に転写箔が転写される必要がある。
従って、木質系材料とポリエステルフィルム系材料のいずれにも良好に接着し得る転写箔用接着剤が要望されていた。
【０００４】
【特許文献１】特公昭６０−５９８７６号公報
【発明の開示】
【発明が解決しようとする課題】
【０００５】
本発明は上記問題点に鑑み、木質系材料とポリエステルフィルム系材料のいずれにも良好に接着し得る転写箔用接着剤及び該接着剤を用いる転写箔を提供することを目的とする。
【課題を解決するための手段】
【０００６】
本発明者らは、前記目的を達成するために鋭意研究を重ねた結果、ウレタン系樹脂とマレイン酸樹脂を含有する転写用接着剤が、前記課題を解決し得ることを見出した。本発明は、かかる知見に基づいて完成したものである。
【０００７】
すなわち、本発明は、
（１）ウレタン系樹脂とマレイン酸樹脂を含有する転写用接着剤であって、マレイン酸樹脂の含有量が２０〜４０質量％であることを特徴とする転写用接着剤、
（２）ウレタン系樹脂がブロッキング防止剤を０．１〜５質量％含有する上記（１）に記載の転写用接着剤、
（３）マレイン酸樹脂の軟化点が１２０〜１８５℃である上記（１）又は（２）に記載の転写用接着剤、及び
（４）基材に少なくとも剥離層、装飾層及び接着剤層を含む転写層を積層した転写箔であって、接着剤層が上記（１）〜（３）のいずれかに記載の転写用接着剤である転写箔、
を提供するものである。
【発明の効果】
【０００８】
本発明によれば、木質系材料とポリエステルフィルム系材料のいずれにも良好に接着し得る転写用接着剤及び木質系材料とポリエステルフィルム系材料のいずれにも良好に接着し得る転写箔を得ることができる。
【発明を実施するための最良の形態】
【０００９】
本発明の転写用接着剤はウレタン系樹脂とマレイン酸樹脂を含有する。
ウレタン系樹脂としては、２液硬化型ウレタン樹脂、又は１液硬化型ウレタン樹脂等が使用できる。
２液硬化型ウレタン樹脂は、ポリオールを主剤とし、イソシアネートを架橋剤（硬化剤）とするウレタン樹脂である。ポリオールとしては、分子中に２個以上の水酸基を有するもので、例えばポリエチレングリコール、ポリプロピレングリコール、アクリルポリオール、ポリエステルポリオール、ポリエーテルポリオール、ポリカーボネートポリオール、ポリウレタンポリオール等が用いられる。また、イソシアネートとしては、分子中に２個以上のイソシアネート基を有する多価イソシアネートが用いられる。例えば、２，４−トリレンジイソシアネート、キシレンジイソシアネート、４，４′−ジフェニルメタンジイソシアネート等の芳香族イソシアネート、あるいは、１，６−ヘキサメチレンジイソシアネート、イソホロンジイソシアネート、水素添加トリレンジイソシアネート、水素添加ジフェニルメタンジイソシアネート等の脂肪族（乃至は脂環式）イソシアネート、さらには上記各種イソシアネートの付加体、又は多量体を用いることもできる。例えば、トリレンジイソシアネートの付加体、トリレンジイソシアネート３量体（ｔｒｉｍｅｒ）等がある。
【００１０】
また、上記イソシアネートをブロック化したブロックイソシアネートとして用い、転写時の熱により、ブロックを解除して反応を開始させるようにしてもよい。ブロックイソシアネートは、上記イソシアネートを、アルコール類、フェノール類、アミン類等のブロック剤と一時的に反応させ、イソシアネート基の反応性を阻止（ブロック）した化合物である。通常、ブロック剤の解離温度を適度な温度領域まで低下させる為に、解離触媒として、金属石鹸、アミン類等の公知のものを用いる。
【００１１】
また、上記１液硬化型ウレタン樹脂は、分子末端にイソシアネート基を有するプレポリマーを必須成分とする組成物である。前記プレポリマーは、通常は分子両末端に各々イソシアネート基を１個以上有するポリイソシアネートプレポリマーであり、常温で固体の熱可塑性樹脂の状態にあるものである。イソシアネート基同士が空気中の水分により反応して鎖延長反応を起こして、その結果、分子鎖中に尿素結合を有する反応物を生じて、この尿素結合に更に分子末端のイソシアネート基が反応して、ビウレット結合を起こして分岐し、架橋反応を起こす。分子末端にイソシアネート基を有するプレポリマーの分子鎖の骨格構造は任意であるが、具体的には、ウレタン結合を有するポリウレタン骨格、エステル結合を有するポリエステル骨格、ポリブタジエン骨格等である。適宜これら１種又は２種以上の骨格構造を採用する。なお、分子鎖中にウレタン結合がある場合は、このウレタン結合とも末端イソシアネート基が反応して、アロファネート結合を生じて、このアロファネート結合によっても架橋反応を起こす。
【００１２】
本発明で使用するウレタン系樹脂は、幅６ｍｍ、厚さ０．７ｍｍのフィルムとし、ＪＩＳ  Ｋ７１２７に準拠した引張試験（引張速度４５ｍｍ／分）において、破断伸度が５００〜１２００％の範囲であることが好ましい。通常のウレタン系樹脂に比較して大きな破断伸度を有するウレタン系樹脂を選択することによって、木質系材料とポリエステルフィルム系材料のいずれにも良好に接着し得る転写用接着剤が設計しやすくなる。
【００１３】
また、本発明で使用するウレタン系樹脂は、粘着性（タック性）を有するものを選択することが好ましい。粘着性を有するものを選択することで、木質系材料とポリエステルフィルム系材料のいずれにも良好に接着し得る転写用接着剤が設計しやすくなる。
但し、この粘着性がウレタン系樹脂のハンドリングを悪くするので、これを防止することを目的にブロッキング防止剤を含有させることが好ましい。
【００１４】
上記ブロッキング防止剤としては通常化粧シート等に用いられるものであれば特に限定されるものではなく、例えば、シリカ、アルミナ、水酸化アルミニウム、硫酸バリウム、タルク、炭酸カルシウム等の透明性の高い無機粒子が好適に用いられる。
ブロッキング防止剤の粒径としては、効果の点から通常０．１〜５μｍ程度が好ましく、さらには０．５〜３μｍの範囲が好ましい。
ブロッキング防止剤の含有量としては、ウレタン系樹脂１００質量部に対して０．１〜５質量部の範囲が好ましい。０．１質量部以上であると粘着性を十分に抑制することができ、好適なハンドリング性が得られる。一方、５質量部以下であると、ブロッキングを抑制することができる。
【００１５】
次に、本発明で用いられるマレイン酸樹脂は無水マレイン酸又はマレイン酸エステルと他のモノマーを共重合させて得られるコポリマーである。無水マレイン酸と共重合させるモノマーは、共重合可能なモノマーであればいずれを用いてもよく、多種併用してもよい。
特に有用なモノマーとしてはスチレン、イソブチレン、（メタ）アクリル酸アルキルエステル、ベンジル（メタ）アクリレート等が挙げられる。
無水マレイン酸と、これに共重合させるモノマーの割合は、無水マレイン酸１ｍｏｌに対し、共重合させるモノマーの合計が１〜５ｍｏｌの範囲であることが好ましく、さらには１〜３ｍｏｌの範囲が好ましい。無水マレイン酸と、これに共重合させるモノマーは、酢酸エステル、ジオキサン、キシレンなどの重合を阻害しない有機溶剤に溶解させ、アゾビスイソブチロニトリル、ベンゾイルパーオキサイド、ラウロイルパーオキサイドなどのラジカル発生剤を、無水マレイン酸と、これに共重合させるモノマーの合計１００質量部に対して、通常０．１〜５質量部％、好ましくは０．５〜２質量部の範囲で加え、７０℃〜１５０℃の温度範囲で、２〜１０時間反応させることにより共重合体が得られる。
マレイン酸樹脂の平均分子量としては２０００〜５００００の範囲が好ましく、さらには５０００〜３００００の範囲が好ましい。
【００１６】
また、本発明におけるマレイン酸樹脂にはロジン変性マレイン酸樹脂も包含される。ロジン変性マレイン酸樹脂は、ロジンと無水マレイン酸から三塩基酸の付加物を作り、多価アルコ−ルでエステル化したものである。無水マレイン酸の付加量、多価アルコ−ルの種類、エステル化度の違いで軟化点、溶解性など種々の異なった性質のものが得られる。
【００１７】
上記マレイン酸樹脂の軟化点は１２０〜１８５℃が好ましい。軟化点が１２０℃以上であると、低温での転写性が良好となり、軟化点が１８５℃以下であると、ブロッキングが抑制できる。以上の観点から軟化点はさらに１２０〜１５０℃の範囲が好ましい。また、酸価は１００〜３００の範囲が好ましく、さらには１５０〜３００の範囲が好ましい。
【００１８】
本発明の転写用接着剤中のマレイン酸樹脂の含有量は、固形分換算で２０〜４０質量％の範囲である。マレイン樹脂の含有量がこの範囲であると、木質系材料とポリエステルフィルム系材料のいずれにも良好に接着し得る。以上の点から、さらにマレイン酸樹脂の含有量は、２５〜３５質量％の範囲が好ましい。
【００１９】
本発明の転写用接着剤には、各種添加剤を配合することができる。添加剤としては、例えば、耐摩耗性向上剤、赤外線吸収剤、帯電防止剤、レベリング剤、チクソ性付与剤、充填剤、溶剤、着色剤、耐候性向上剤、抗菌剤などが挙げられる。
【００２０】
耐摩耗性向上剤としては、例えば無機物ではα−アルミナ、シリカ、カオリナイト、酸化鉄、ダイヤモンド、炭化ケイ素等の微粒子が挙げられる。該微粒子の形状は、球、楕円体、多面体、鱗片形等が挙げられ、特に制限はないが、球状が好ましい。有機物では架橋アクリル樹脂、ポリカーボネート樹脂等の合成樹脂ビーズが挙げられる。粒径は、通常膜厚の３０〜２００％程度とする。これらの中でも球状のα−アルミナは、硬度が高く、耐摩耗性の向上に対する効果が大きいこと、また、球状の微粒子を比較的得やすい点で特に好ましいものである。
赤外線吸収剤としては、例えば、ジチオール系金属錯体、フタロシアニン系化合物、ジインモニウム化合物等が用いられる。
充填剤としては、例えば硫酸バリウム、タルク、クレー、炭酸カルシウム、水酸化アルミニウムなどが用いられる。
着色剤としては、例えばキナクリドンレッド、イソインドリノンイエロー、フタロシアニンブルー、フタロシアニングリーン、酸化チタン、カーボンブラックなどの公知の着色用顔料などが用いられる。
【００２１】
次に、本発明の転写箔について図１を用いて説明する。図１は本発明の転写箔の断面を示す模式図である。本発明の転写箔１は、基材２と、剥離層３、装飾層４及び接着剤層５を含む転写層６から構成される。各層について以下詳述する。
【００２２】
本発明で用いられる基材２は、転写層と離型性が有り、また被転写面に凹凸が有る場合は該凹凸への形状追従性があるものであれば、従来公知のものでよく特に制限はない。従って、被転写面が平面又は二次元的凹凸表面で転写箔が伸ばされない場合には、一般的な２軸延伸ポリエチレンテレフタレートフィルム（シート）、又は延伸性が無い紙等を用いることができる。
また、被転写面が三次元的凹凸表面で転写箔が伸ばされる場合には、少なくとも転写時には延伸性の有る基材を用いることが肝要である。延伸性のある基材としては、例えば熱可塑性樹脂を用いることができ、具体的には、ポリプロピレン、ポリエチレン、ポリメチルペンテン、エチレン−プロピレン−ブテン３元共重合体、オレフィン系熱可塑性エラストマー等のオレフィン樹脂；エチレンテレフタレートイソフタレート共重合体、ポリブチレンテレフタレート等の熱可塑性ポリエステル樹脂；塩化ビニル樹脂、ポリアミド樹脂、ウレタン系熱可塑性エラストマー等のエラストマー等が挙げられる。
基材２は上述の材料からなるフィルム又はシートを単層で用いてもよいし、又は異種材料からなる積層体として用いてもよい。
基材２の厚さとしては特に限定されないが、通常は２０〜２００μｍ程度である。
【００２３】
基材２は必要に応じ、その転写層側に転写層との剥離性を向上させるため、離型層を設けてもよい（図示せず）。この離型層は基材２を剥離する際に基材２と共に転写層から剥離除去される。離型層としては、例えば、アクリル樹脂、シリコーン樹脂、メラミン樹脂、ポリアミド樹脂、ウレタン樹脂、ポリオレフィン樹脂、ワックス等の単体又はこれらを含む混合物が用いられる。
また、剥離性を調整するために、基材２の転写層側の面に、コーティング処理、コロナ放電処理、オゾン処理などの表面処理を行ってもよい。
【００２４】
また、基材２の転写層に接する側の面に、凹凸模様を設ければ、転写後の転写層表面に砂目、梨地、木目等の凹凸模様を賦形できる。凹凸模様は、エンボス加工、サンドブラスト、賦形層（離型層を兼用もできる）の盛り上げ印刷加工等の公知の方法で形成することができる。
【００２５】
図１に示される転写層６は、通常、剥離層３、装飾層４及び接着剤層５からなる。
剥離層３は基材２又は基材２に設けられた離型層と装飾層４との間の剥離性を調整するため、また、転写後の装飾層４の表面保護のため等に設けられる層である。
剥離層３としては、アクリル樹脂、ウレタン樹脂、塩化ビニル−酢酸ビニル共重合体、ブチラール樹脂、セルロース系樹脂等を単独で或いは２種以上混合したものを用いることが好ましい。この場合、摩耗性、透明性を考慮すると、アクリル樹脂が好ましい。
【００２６】
転写後に剥離層に表面滑性を出現させるため、添加剤として、ポリエチレンワックス、テフロンワックス、カルナバワックス、パラフィンワックス等を添加することが好ましい。また、外装用途や太陽光にさらされる部位に使用される場合には、ベンゾトリアゾール系、ベンゾフェノン系、サリチル酸系紫外線吸収剤やヒンダードミアン系ラジカル捕捉剤等の光安定剤、フェノール系酸化防止剤や熱安定剤等を添加することが好ましい。
剥離層は、グラビア印刷、ロールコート、スクリーン印刷、オフセット印刷、等の公知の手法により積層される。
【００２７】
次に装飾層４は被転写体に装飾性を与えるものであり、種々の模様をインキと印刷機を使用して基材２又は剥離層３の上に印刷することにより形成される。印刷方法としては特に限定されず、例えば、グラビア印刷、オフセット印刷、スクリーン印刷等公知の方法で行うことができる。
模様としては、木目模様、大理石模様（例えばトラバーチン大理石模様）等の岩石の表面を模した石目模様、布目や布状の模様を模した布地模様、タイル貼模様、煉瓦積模様等があり、これらを複合した寄木、パッチワーク等の模様もある。これらの模様は通常の黄色、赤色、青色、および黒色のプロセスカラーによる多色印刷によって形成される他、模様を構成する個々の色の版を用意して行う特色による多色印刷等によっても形成される。
また、印刷は部分印刷でもベタ印刷でもよく、部分印刷とベタ印刷の両方を行ってもよい。また、剥離層へのエンボス加工等による凹凸模様であってもよい。
【００２８】
装飾層４に用いるインキとしては、バインダーに顔料、染料などの着色剤、体質顔料、溶剤、安定剤、可塑剤、触媒、硬化剤などを適宜混合したものが使用される。該バインダーとしては特に制限はなく、例えば、ポリウレタン系樹脂、塩化ビニル／酢酸ビニル系共重合体樹脂、塩化ビニル／酢酸ビニル／アクリル系共重合体樹脂、塩素化ポリプロピレン系樹脂、アクリル系樹脂、ポリエステル系樹脂、ポリアミド系樹脂、ブチラール系樹脂、ポリスチレン系樹脂、ニトロセルロース系樹脂、酢酸セルロース系樹脂などの中から任意のものが、１種単独で又は２種以上を混合して用いられる。
着色剤としては、カーボンブラック（墨）、鉄黒、チタン白、アンチモン白、黄鉛、チタン黄、弁柄、群青、コバルトブルー等の無機顔料、キナクリドンレッド、イソインドリノンイエロー、フタロシアニンブルー等の有機顔料又は染料、アルミニウム、真鍮等の鱗片状箔片からなる金属顔料、二酸化チタン被覆雲母、塩基性炭酸鉛等の鱗片状箔片からなる真珠光沢（パール）顔料等が用いられる。
【００２９】
次に、接着剤層５は上記にて詳述した本発明の接着剤を塗工して形成する。接着剤層の厚さとしては、被転写体への接着性が得られれば特に制限はないが、通常１〜５０μｍの範囲である。特に、木質材料とポリエステル材料に同時に接着することを考慮すると、接着剤層５の膜厚は５〜３０μｍの範囲が好ましく、さらには１０〜２０μｍの範囲が好ましい。
接着剤層５の塗工方法については特に制限はなく、通常用いられる、グラビア印刷、スプレーコート、フローコート等の方法を用いることができる。
【００３０】
本発明の転写箔に対する被転写体としては、その材質、形状に限定があるものではなく、種々の材質に使用することができる。例えば材質としては、ＰＥＴ等のポリエステル系樹脂、ポリエチレン、ポリプロピレン等のポリオレフィン系樹脂、アクリル系樹脂、塩化ビニル系樹脂、アクリロニトリル−ブタジエン−スチレン共重合体（ＡＢＳ樹脂）、ポリカーボネート系樹脂、フェノール樹脂等の樹脂類；アルミニウム、鉄、ステンレス、真鍮等の金属あるいは金属化合物類；木質合板、木質単板、中密度繊維板（ＭＤＦ）等の木質系材料：ガラス、陶磁器等のセラミック類；ＡＬＣ（軽量気泡コンクリート）、ＧＲＣ（硝子繊維強化コンクリート）、スラグセメント等のセメント；ケイ酸カルシウム；紙；不織布等と任意である。
これらのうち、本発明の転写箔に使用する接着剤は木質系材料とポリエステル系樹脂材料のいずれにも接着性が高いため、特に木質合板、木質単板、中密度繊維板（ＭＤＦ）等の木質系材料の一部をＰＥＴなどのポリエステルフィルムで加工している材料に最適である。
【００３１】
また、上記被転写体の表面には、予め、接着剤との接着を補助するための易接着プライマー、あるいは表面の微凹凸や多孔質を目止めし封じるシーラー剤を塗工しておいてもよい。易接着プライマー、あるいはシーラー剤としては、通常、イソシアネート、２液硬化ウレタン樹脂、エポキシ樹脂、アクリル樹脂、酢酸ビニル樹脂等の樹脂を塗工し形成する。
【００３２】
被転写体の形状についても特に限定はなく、シート、フィルム、平板、曲面板、棒状板、立体物などいずれの形状にも適用できる。
【００３３】
本発明の転写箔を用いた転写方法は、基材２上に少なくとも装飾層４を含む転写層６を有する転写箔１から該転写層６を被転写体に転写する際に、接着剤層５を構成する接着剤を加熱熔融し、該接着剤を冷却固化させることによって転写層６を被転写体に接着し（初期接着）、その後、該接着剤を反応させ、硬化させて最終接着状態とするものである。
なお、基材２を剥離するタイミングは、転写圧の解除以降、基材２が剥離時応力で切断や塑性変形をしない程度に冷却し、接着剤層５が冷却や一部進行した硬化反応で固化し転写箔１が被転写体に固着した時点以降に行えばよい。
【００３４】
本発明の転写箔はドア材、浴室の壁材、ユニットバス壁材、ユニットバス内装材、厨房の壁財、ＡＶ機器、エアコンカバーなどの転写箔として用いることができるが、特に、上述のように、木質合板、木質単板、中密度繊維板（ＭＤＦ）等の木質系材料の一部をＰＥＴなどのポリエステルフィルムで加工しているドア材などに最適である。
【実施例】
【００３５】
次に、本発明を実施例により、さらに詳細に説明するが、本発明は、この例によってなんら限定されるものではない。
（評価方法）
各実施例及び比較例で得られた転写箔について、被転写体との接着性を以下のように評価した。
各実施例及び比較例で製造された転写箔を用いて、ＭＤＦ基板（大建工業（株）製
「テクノウッド」、厚さ２ｍｍ）とＰＥＴ−Ｇ基板（リケンテクノス（株）製「ＲＩＶＥＳＴＡＲ（ＰＥＴ−Ｇ）」、厚さ０．２５ｍｍ）にそれぞれ転写した。転写の温度は２００℃、転写速度５ｍ／分及び８ｍ／分の条件でそれぞれ行った。
以下の基準による評点で評価した。
４点；密着良好
３点；若干剥離
２点；若干密着
１点；密着せず
【００３６】
実施例１
基材２として、ＰＥＴ（三菱ポリエステルフィルム（株）製「Ｅ−１３０」）を用い、その片面にアクリル樹脂をバインダーとし、添加剤としてポリエステルを含有する樹脂組成物を塗工して剥離層３を設けた。剥離層３の厚さは２μｍであった。
次いで、剥離層３上にアクリルセルロースをバインダーとし、フタロシアニン、イソインドリノン、及びキナクリドンを主成分とする着色剤を用いて、木目模様の装飾層４をグラビア印刷にて形成した。装飾層４の厚さは２μｍであった。
次に、フィルムとした際の破断伸度（明細書本文中に記載した測定条件）が１０００％であるウレタン樹脂とマレイン酸樹脂の混合物（ウレタン樹脂／マレイン酸樹脂、（株）昭和インク工業所製）と軟化点１３０℃のマレイン酸樹脂（（株）昭和インク工業所製）を、該混合樹脂中のマレイン酸樹脂の含有量が３３．３質量％となるように混合した。該混合樹脂を上記装飾層４の上にグラビアコーティングし、乾燥後の厚さが１５μｍとなるように接着剤層５を形成した。
このようにして製造した転写箔について、上記評価方法にて評価した。結果を第１表に示す。
【００３７】
実施例２
実施例１で使用したウレタン樹脂／マレイン酸樹脂１００質量部に対して、さらにブロッキング防止剤としてシリカを１．６質量部添加したこと以外は実施例１と同様にして転写箔を得た。実施例１と同様に評価した結果を第１表に示す。接着性については、実施例１と同様の効果を示し、かつ、転写箔の製造時にウレタン系樹脂のブロッキング性が向上した。
【００３８】
比較例１〜５
接着剤層を構成する転写用接着剤として、実施例１のウレタン樹脂／マレイン酸樹脂の混合樹脂に代えて、第１表に記載する樹脂を用いたこと以外は実施例１と同様にして転写箔を得た。実施例１と同様にして評価した結果を第１表に示す。
【００３９】
比較例６
混合樹脂中のマレイン酸樹脂の含有量が６６．７質量％となるように調製したこと以外は実施例１と同様にして転写箔を得た。実施例１と同様にして評価した結果を第１表に示す。
【００４０】
【表１】
0004821406.tif 000002
【００４１】
＊１  ウレタン樹脂／マレイン酸樹脂；ウレタン樹脂とマレイン酸樹脂の混合樹脂（マレイン酸樹脂含有量；３３．３質量％）、（株）昭和インク工業所
＊２  ウレタン樹脂／マレイン酸樹脂；ウレタン樹脂とマレイン酸樹脂の混合樹脂（マレイン酸樹脂含有量；６６．７質量％）、（株）昭和インク工業所
＊３  ポリエステル樹脂；ザ・インクテック（株）「ＢＳＡ１４５Ｍ（Ｈ）」
＊４  塩化ビニル・酢酸ビニル共重合体；（株）昭和インク工業所、「ＰＶＨＳマット」
＊５  アクリル・塩化ビニル・酢酸ビニル共重合体；（株）昭和インク工業所、「ＭＤＦ−ＨＳ」
＊６  ウレタン樹脂；（株）昭和インク工業所
＊７  ＰＥＴ−Ｇ；リケンテクノス（株）製「ＲＩＶＥＳＴＡＲ（ＰＥＴ−Ｇ）」、厚さ０．２５ｍｍ
＊８  ＭＤＦ；大建工業（株）製「テクノウッド」、厚さ２ｍｍ
【産業上の利用可能性】
【００４２】
本発明によれば、木質系材料とポリエステルフィルム系材料のいずれにも良好に接着し得る転写用接着剤を提供することができる。この転写用接着剤を粘着剤層に用いた転写箔は、木質合板、木質単板、中密度繊維板（ＭＤＦ）等の木質系材料の一部をＰＥＴなどのポリエステルフィルムで加工しているドア材などに好適に用いることができ、木質系材料及びポリエステルフィルムのいずれにも高い接着性で転写することができる。
【図面の簡単な説明】
【００４３】
【図１】本発明の転写箔の断面を示す模式図である。
【符号の説明】
【００４４】
１．転写箔
２．基材
３．剥離層
４．装飾層
５．接着剤層
６．転写層
【図１】
0004821406.tif 000003